(57)【特許請求の範囲】
【請求項１】
画像を表示するディスプレイを備えた機器に装着され、前記ディスプレイに表示された画像を感光材料に投影して該感光材料に所望のプリント画像を印画するプリント装置であって、
前記感光材料を露光部に給送する給送手段と、
前記感光材料の給送動作に同期させて、プリント画像の１ライン毎の画像を前記ディスプレイの所定ライン上に順次表示させるプリント画像表示手段と、
前記プリント画像表示手段によって表示された画像を前記露光部に導き、前記露光部を走行する感光材料に投影させる画像投影手段と、
を備えたことを特徴とするプリント装置。
【請求項２】
前記給送手段は、手動又は自動で前記感光材料を前記露光部に給送することを特徴とする請求項１のプリント装置。
【請求項３】
前記感光材料の給送速度に基づいて前記プリント画像表示手段によって表示する画像の明るさを調整することを特徴とする請求項１のプリント装置。
【請求項４】
前記プリント装置は、前記ディスプレイに着脱自在であることを特徴とする請求項１のプリント装置。
【発明の詳細な説明】
【０００１】
【発明の属する技術分野】
本発明はプリント装置に係り、特に液晶ディスプレイを備えた機器に装着され、液晶ディスプレイの画像光を感光材料に投影して感光材料に所望の画像をプリントするプリント装置に関する。
【０００２】
【従来の技術】
従来、ビデオカメラ等の液晶ディスプレイ上の画像を写真フイルムや印画紙等の感光材料に投影して感光材料に所望の画像をプリントするプリント装置が提案されている。例えば、特開平１０−１０４７５２号公報には、ビデオカメラの液晶ディスプレイの表示面側に感光材料を配置させ、液晶ディスプレイの画像を光学像伝達手段によって感光材料に投影させて感光材料に所望の画像をプリントするものが提案されている。
【０００３】
また、実開平５−７９５５２号公報には、上述の例と同様に液晶ディスプレイの画像を感光材料にプリントする画像プリンタが提案されている。この画像プリンタでは１つの液晶ディスプレイを、プリント画像のユーザ確認用の入力画像表示用ディスプレイとして、また、プリント時のフイルム露光用光源として兼用することによってプリンタの小型化等を可能にしている。
【０００４】
【発明が解決しようとする課題】
しかしながら、上述の文献に記載されたプリント装置は、いずれも２次元平面による露光を行うためディスプレイに表示した画像を感光材料に面で合焦させる大型の合焦手段を要するという欠点があった。また、ディスプレイ全面を感光材料の露光用光源に使用すると、ディスプレイの配光分布によるむらがそのままプリントした画像に現れてしまうという欠点があった。
【０００５】
本発明はこのような事情に鑑みてなされたもので、プリント専用の露光用光源を必要とせず、また、感光材料を露光する大型の合焦手段を必要とせず、所望機器の高価なディスプレイを共用して感光材料に所望画像をプリントするプリント装置を提供することを目的とする。
【０００６】
【課題を解決するための手段】
本発明は前記目的を達成するために、画像を表示するディスプレイを備えた機器に装着され、前記ディスプレイに表示された画像を感光材料に投影して該感光材料に所望のプリント画像を印画するプリント装置であって、前記感光材料を露光部に給送する給送手段と、前記感光材料の給送動作に同期させて、プリント画像の１ライン毎の画像を前記ディスプレイの所定ライン上に順次表示させるプリント画像表示手段と、前記プリント画像表示手段によって表示された画像を前記露光部に導き、前記露光部を走行する感光材料に投影させる画像投影手段と、を備えたことを特徴としている。
【０００７】
本発明によれば、機器のディスプレイを兼用してプリントを行うため、プリント専用の露光用光源を必要とせず、プリント装置が小型化されると共に、構成が簡単なプリント装置によって所望機器の表示画像を容易にプリントすることができるようになる。また、感光材料を露光する大型の合焦手段を必要としないため、プリント装置が小型化されると共に、プリントした画像にディスプレイの配光分布によるむらが生じるといった不具合が解消される。
【０００８】
【発明の実施の形態】
以下添付図面に従って本発明に係るプリント装置の好ましい実施の形態について詳説する。
図１は、本発明に係るプリント装置が装着されたパーソナルコンピュータの外観斜視図である。同図に示すようにパーソナルコンピュータ１０（以下、パソコン１０という。）は、キーボード１２、マウス（図示せず）等の入力装置が配設されるパソコン本体１３と、カラーの液晶ディスプレイ（ＬＣＤ）パネル１４とから構成され、ＬＣＤパネル１４のフレーム１６には、本発明に係るプリント装置１８が装着される。また、パソコン１０とプリント装置１８とは、通信ケーブル２０で電気的に接続され、パソコン１０とプリント装置１８との間で信号のやり取りが行われるようになっている。尚、符号２２は、プリンタ用の電源ケーブルである。
【０００９】
図２は、プリント装置１８の要部上面断面図である。同図に示すようにＬＣＤパネル１４は、フレーム１６の開口に設置され、そのＬＣＤパネル１４の後方に導光板２４が設置される。そして、ＬＣＤパネル１４の背面と導光板２４の前面の間の空間の端部に円柱状のバックライト用光源２５が配設される。これにより、バックライト用光源２５から出射された光が、導光板２４を介して液晶パネル１４全面を背面側から略均等に照明する。
【００１０】
プリント装置１８は、ケース２６で覆われ、ケース２６内の空洞は外部から完全に遮光される。ケース２６内には、図３の透視図にも示すように屈折率分布型のレンズアレイ２８、搬送ローラ３０Ａ、３０Ｂ、印画紙３６を数枚（１０枚程度）収納したフイルムパック３２等が配設される。
前記レンズアレイ２８は、屈折率が中心軸を中心に変化して分布するロッドレンズ（例えば、セルフォックレンズ）を１次元的に配列し、その基端部を湾曲させて形成したものである。ロッドレンズは、一方の端面から入射した光をロッドレンズ内を介して他方の端面から出射する性質を有しているため、レンズアレイ２８によって入射側の像を出射側に投影することができる。このレンズアレイ２８の基端部の端面２８Ａは、ＬＣＤパネル１４の左縁部に確保される光記録用液晶部３４に対向して配設される。光記録用液晶部３４は、液晶表示素子が数画素分の横幅で縦方向にライン状に配列された領域範囲を有し、この領域に表示された画像（一次元画像）は、レンズアレイ２８の端面２８Ａからレンズアレイ２８内に入射される。また、光記録用液晶部３４の背面側には上記バックライト用光源２５が配設され、上記バックライト用光源２５で直接照明されるため、他の部分よりも強い光の画像光がレンズアレイ２８に入射されるようになっている。
【００１１】
一方、レンズアレイ２８の先端部の端面２８Ｂは、印画紙３６が走行する走行面に対向して配置される。従って、上記光記録用液晶部３４に表示された一次元画像はレンズアレイ２８を介して走行面上を走行する印画紙３６上に投影される。
上記印画紙３６には、例えばインスタントカメラ等に使用される市販の自己処理型フイルム（インスタントフイルム等）が使用され、印画紙３６は、フイルムパック３２に収納されるようになっている。尚、印画紙３６の装填は、このフイルムパック３６ごとプリント装置１８内に装填して行う。また、印画紙３６は、写真感光材料であればよく、通常の写真フイルムであってもよい。
【００１２】
フイルムパック３２に収納された印画紙３６は、図示しないローラによってフイルムパック３２から送り出され、２つの搬送ローラ３０Ａ、３０Ｂによって挟持される。この後、搬送ローラ３０Ａ、３０Ｂによって一定速度で搬送され、この間、印画紙３６には、上述のようにレンズアレイ２８を介して光記録用液晶部３４に表示された一次元画像が投影される。これにより、その画像光によって印画紙３６の感光面が感光される。また、印画紙３６の走行と同期して光記録用液晶部３４の表示画像が順次切り換えられることで、印画紙３６に所望の画像がプリントされるようになっている。更に、印画紙３６の走行速度に応じてバックライト用光源２５の明るさが変化し（走行速度が速い程、バックライト用光源２５が明るくなる）、適切な光量で印画紙３６に画像光が露光されるようになっている。
【００１３】
このようにして露光された印画紙３６は、搬送ローラ３０Ａ、３０Ｂを通過する際に印画紙３６の背面の一部に充填された処理液が全面に引き延ばされて現像され、ペーパー出力口３８からプリント装置１８外部に送出される。
尚、光記録用液晶部３４のカラーフィルターは印画紙３６の分光特性に合わせて、ＬＣＤパネル１４の他の表示部のカラーフィルターと別特性にすることも可能である。また、光記録用液晶部３４への画像の表示方向、切換方向が不適切であると印画紙３６にプリントした画像が倒立画像となるおそれがあるが、このような場合には光記録用液晶部３４への画像の表示方向、切換方向を変換することで適切に正立画像をプリントすることができる。
【００１４】
また、上記プリント装置１８は、ＬＣＤパネル１４に着脱自在の構成とすることも可能である。この場合の構成及び装着方法の一例を図４（Ａ）乃至（Ｄ）に示す。尚、図１乃至図３に示した部材と同一又は類似作用の部材には同一番号を付している。図４（Ｃ）に示すように、プリント装置１８は、ペーパー搬送部１８Ａと導光部１８Ｂとに分けられ、これらのペーパー搬送部１８Ａと導光部１８Ｂとはヒンジ５０によって連結される。
【００１５】
ペーパー搬送部１８Ａには、図４（Ａ）に示すように空洞部５２が設けられており、この空洞部５２にフイルムパック３２が装着される。尚、板ばね５４はフイルムパック３２内の印画紙３６を前方に押圧するものである。
このようにしてフイルムパック３２をフイルム搬送部１８Ａに装着した後、次に、図４（Ｃ）に示すようにペーパー搬送部１８Ａと導光部１８ＢとによってＬＣＤパネル１４の左側のフレーム１６を挟み込みロックバンド５６で固定する。以上の構成により、図４（Ｄ）に示すようにプリント装置１８がＬＣＤパネル１４に着脱自在に装着される。ただし、プリント装置１８をＬＣＤパネル１４に着脱自在とする構成はこれに限らない。
【００１６】
次に、上記パソコン１０及びプリント装置１８の回路構成を図５に示す。同図に示すようにパソコン１０には、ＣＰＵ７０、メモリ７２、ＬＣＤパネルユニット７４、ＶＲＡＭ７６、ハードディスクドライブ（ＨＤＤ）７８、フロッピディスクドライブ（ＦＤＤ）８０等が搭載される。ＬＣＤパネルユニット７４は上記ＬＣＤパネル１４とバックライト用光源２５からなり、ＶＲＡＭ７６はＬＣＤパネル１４に表示する画像の画像データを記録するものである。これらのＬＣＤパネルユニット７４とＶＲＡＭ７６は、ＬＣＤ駆動回路８６を介してＰＣＩバス８８に接続される。ＨＤＤ７８やＦＤＤ８０は、不揮発性メモリであるハードディスクやフロッピディスクに対してデータの書き込みや読み出しを行うもので、それぞれＩＤＥ変換部９０又はＩ／Ｏ回路９２を介してＰＣＩバス８８に接続される。また、パソコン１０の入力装置として、キーボード１２やマウス８４が使用可能で、これらの入力装置は、Ｉ／Ｏ回路９２を介してＰＣＩバス８８に接続される。
【００１７】
ＣＰＵ７０は、ハードディスクやフロッピディスクから読み込んだソフトウェアのプログラムに従って演算処理を行い、ＰＣＩバス８８を介して各構成部と各種データのやり取りを行うと共に、各部に所要の動作を行わせるべくコマンドを出力する。尚、ＬＣＤパネル１４に所要の画像を表示する場合、ＣＰＵ７０は、ＶＲＡＭ７６にその表示する画像の画像データを記録させる。ＶＲＡＭ７６に記録された画像データはその後更新されない限りＬＣＤ駆動回路８６によって繰り返し読み出されてＬＣＤパネル１４に送られる。これにより、ＶＲＡＭ７６に記録された画像データの画像がＬＣＤパネル１４に表示される。
【００１８】
一方、プリント装置１８には、ペーパー搬送機構９４及びＬＣＤプリント制御部９６が搭載され、ＬＣＤプリント制御部９６は、通信ケーブル２０（図１参照）を介してＰＣＩバス８８に接続される。ペーパー搬送機構９４は、印画紙３６を搬送させる機構であり、上記搬送ローラ３０Ａ、３０Ｂや、この搬送ローラ３０Ａ、３０Ｂを回転駆動する駆動モータ等から構成される。
【００１９】
ＬＣＤプリント制御部９６は、上記ペーパー搬送機構９４の駆動モータを駆動して印画紙３６の搬送を制御するもので、この制御はＰＣＩバス８８を介してＣＰＵ７０から与えられたコマンドに従って行う。尚、プリント装置１８には搬送ローラ３０Ａ（又は３０Ｂ）の回転速度を測定する手段（ロータリーエンコーダ等）が設置されており、ＬＣＤプリント制御部９６は、この手段によって測定した搬送ローラ３０Ａの回転速度に基づいて印画紙３６の搬送速度や印画紙３６の位置を算出し、その情報をＰＣＩバス８８を介してＣＰＵ７０に送信している。
【００２０】
プリント装置１８を使用してプリントを実行する際、ＣＰＵ７０は、プリントする画像（プリント画像）の画像データをＶＲＡＭ７６に転送する。そして、ＬＣＤ駆動回路８６及びＬＣＤプリント制御部９６にプリントの実行を指示する。これにより、ＬＣＤプリント制御部９６によってペーパー搬送機構９４が駆動されて印画紙３６が所定速度で走行する。また、これと同時に、ＬＣＤ駆動回路８６によってＶＲＡＭ７６からプリント画像の画像データが読み出され、ＬＣＤパネル１４の光記録用液晶部３４にプリント画像の端から順に印画紙３６の走行動作に同期して１ラインずつ切り替わり表示される。更に、ＬＣＤ駆動回路８６によってバックライト用光源２５の光の強さが印画紙３６の走行速度に基づいて調整される。
【００２１】
尚、プリント画像の画像データが転送されるＶＲＡＭ７６は、ＬＣＤパネル１４に表示する画像の画像データを記録するためにパソコンに通常搭載されているもので、プリント用に特別に設けられたものではないため、プリント装置１８を使用するためにハードウェアを変更する必要はなくソフトウエアで対応することができる。従って、汎用のＬＣＤパネルに本プリント装置１８を装着することが容易に可能である。
【００２２】
次に、プリント実行時の処理手順について図６のフローチャートを用いて説明する。まず、ＣＰＵ７０はモードＳＷ、センサー類がプリント待機状態になっているか否かを判定する（ステップＳ１０）。ＮＯであれば、イベント処理を実行し（ステップＳ１２）、ステップＳ１０の判定処理を繰り返し実行する。一方、ＹＥＳであれば、画像データをプリント用の画像データに変換し（ステップＳ１４）、その画像データをＶＲＡＭ７６に転送する（ステップＳ１６）。そして、データ転送が終了したか否かを判定し（ステップＳ１８）、ＮＯであればこの判定を繰り返し実行し、ＹＥＳであればＬＣＤプリント制御部９６に印刷開始のコマンドを出力する。これにより、駆動モータを駆動させて搬送ローラ３０Ａ、３０Ｂを回転させ、印画紙３６の搬送を開始させる（ステップＳ２０）。
【００２３】
印画紙３６の搬送が開始すると、ＣＰＵ７０は、ペーパー搬送機構９４から印画紙３６の搬送速度を取得するとともに、印画紙３６の搬送量を算出する（ステップＳ２２）。そして、印画紙３６の搬送速度が規定値の±２０パーセント以内か否かを判定する（ステップ２４）。ＮＯであれば、ＬＣＤプリント制御部９６は、規定値となるように搬送速度を調整する（ステップＳ２６）。
【００２４】
次に、印画紙３６の搬送量が印画する画像データの範囲を超えていないか否かを判定する（ステップＳ２８）。ＮＯであれば、即ち、プリントが終了していない場合には、ＬＣＤ駆動回路８６は搬送量に対応した画像をＬＣＤパネル１４の光記録用結晶部３４に表示させ（ステップＳ３０）、バックライト用光源２５の光量を搬送速度に対応した値に調光する（ステップ３２）。そして、ステップＳ２２からの処理を繰り返し実行する。
【００２５】
ステップＳ２８において、ＹＥＳと判定した場合、即ち、プリントが終了した場合には、ＣＰＵ７０は、印画紙３６の余白データをＬＣＤパネル１４に表示する（ステップＳ３４）。そして、現像が完了したか否かを判定し（ステップＳ３６）、即ち、搬送ローラ３０Ａ、３０Ｂの位置を印画紙３６の後端が通過したか否かを判定し、ＮＯであればこの判定を繰り返し実行する。ＹＥＳであれば、ＬＣＤプリント制御部９６に印画紙３６の搬送を終了させる（ステップＳ３８）。
【００２６】
上述の処理手順によりパソコン１０のＬＣＤパネル１４の一部を使用して印画紙３６に所望の画像をプリントすることができる。尚、プリント装置１８でプリントを行う場合にはソフトウェアに上述のような処理を実行するプログラムを搭載しておくことが必要である。
以上、上記図６のフローチャートの処理手順は、電動で印画紙３６を搬送する場合について示したものであり、手動で印画紙３６を搬送するようにしてもよい。この場合の処理手順を図７のフローチャートに示す。尚、図６で説明したステップＳ１０からステップＳ２２までの処理、及び、ステップＳ３４以降の処理は、図７においても同様に行われるため、ここではその説明を省略する。
【００２７】
ステップＳ２２の処理が終了すると、ＣＰＵ７０は、次に印画紙３６の搬送速度は規定値の±４０％以内か否かを判定する（ステップＳ５０）。ＮＯであれば、プリントできる速度ではない（露光不足等が生じる）ため、ＬＣＤパネル１４にプリント失敗であることを表示し、失敗処理の指示を行い（ステップＳ５２）、印画処理を終了する。一方、ＹＥＳであれば、次に、印画紙３６の搬送速度は規定値の±２０％以内か否かを判定する（ステップＳ５４）。このとき、ＮＯであれば、搬送速度を調整する指示をＬＣＤパネル１４に表示する（ステップＳ５６）。ＹＥＳであれば、ステップＳ５８に移る。
【００２８】
次に、印画紙３６の搬送量が印画する画像データの範囲を超えていないか否かを判定する（ステップＳ５８）。ＮＯであれば、即ち、プリントが終了していない場合には、ＬＣＤ駆動回路８６は搬送量に対応した画像をＬＣＤパネル１４の光記録用結晶部３４に表示させ（ステップＳ６０）、バックライト用光源２５の光量を搬送速度に対応した値に調光する（ステップ６２）。そして、ステップＳ２２からの処理を繰り返し実行する。
【００２９】
ステップＳ５８において、ＹＥＳと判定した場合、即ち、プリントが終了した場合には、ＣＰＵ７０は、印画紙３６の余白データをＬＣＤパネル１４に表示する（ステップＳ３４）。以降は、図６のフローチャートと同様に行われる。
以上の処理手順により、手動で印画紙３６を搬送した場合でも適切に印画紙３６に所望画像をプリントすることができる。
【００３０】
また、上記実施の形態では、上記プリント装置１８でプリントを実行するためのプログラムをソフトウェアに搭載しておく必要があったが、ソフトウェアに依存せずに、上記プリント装置１８でプリントを行うことも可能である。例えば、図８に示すように、ＬＣＤ駆動回路８６と、ＬＣＤプリント制御部９６とを直接バス１００で接続し、ＬＣＤパネル１４の光記録用液晶部３４の画像の表示や印画紙３６の搬送等を、ＬＣＤ駆動回路８６とＬＣＤプリント制御部９６との間の信号のやり取りで他の回路と独立して制御できるようにすればよい。
【００３１】
次に、上述と同様のプリント装置を、ＬＣＤパネル１４の表示面側に装着するようにした場合の構成について説明する。パソコン１０側の構成、処理内容等については上記説明と同様であるので省略する。図９乃至図１１に示すように上記パソコン１０のＬＣＤパネル１４の前面側にプリント装置１５０が装着される。図１０の１２−１２断面図である図１２、及び、図１１の１３−１３断面図である図１３に示すように、プリンタ装置１５０の前面（ＬＣＤパネル１４に装着される側の面）の上縁、及び左右の縁には、前面より突出した枠１５２、１５４、１５４が形成され、この左右の枠１５４、１５４にＬＣＤパネル１４のフレーム１６の縁と係合する溝１５４Ａ、１５４Ａが形成される。従って、このプリント装置１５０の枠１５４、１５４の下側からＬＣＤパネル１４のフレーム１６を溝１５４Ａ、１５４Ａに嵌入させ、ＬＣＤパネル１４の表示面に沿って溝１５４Ａ、１５４Ａをスライドさせることで、プリント装置１５０をＬＣＤパネル１４の前面に装着することができるようになっている。尚、図１９に示すように、ＬＣＤパネル１４のフレーム１６の左右端面に溝２００、２００を設け、プリント装置１５０にこれらの溝２００、２００と係合する突片２０２、２０２を設けて、溝２００と突片２０２の係合によりプリント装置１５０をＬＣＤパネル１４の前面に装着できるようにしてもよい。また、プリント装置をＬＣＤパネル１４に装着するこれらの構成は、プリント装置をＬＣＤパネル１４の背面側に装着する場合においても適用できる。
【００３２】
プリント装置１５０の位置決めは、図１２に示すようにプリント装置１５０の上縁の枠１５２がＬＣＤパネル１４のフレーム１６の上端面に当接すると終了する。また、図１４に示すように、プリント装置１５０の左右の枠１５４、１５４のうち一方の枠１５４の溝１５４Ａの底面及び側面に板バネ等の押圧部材１５６Ａ、１５６Ｂが設置されており、これらの押圧部材１５６Ａ、１５６Ｂでプリント装置１５０を片寄せすることによってガタが防止され、適切に位置決めされるようになっている。
【００３３】
プリント装置１５０の前面には図１５に示すように長手状の開口１５８が形成され、側面には印画紙３６を送出するペーパー出力口１６０が形成される。尚、同図では上記枠１５２、１５４、１５４が省略されている。開口１５８は、プリント装置１５０がＬＣＤパネル１４に装着されると、プリント画像を１ラインずつ順次切り換えて表示する上記ＬＣＤパネル１４の光記録用液晶部３４に対向する位置に位置決めされ、その光記録用液晶部３４に表示された画像をプリント装置１５０の内部に取り込む。図１６に示すようにプリント装置１５０の内部において、開口１５８の位置には、上記実施の形態で説明したのと同様のレンズアレイ１６２が配設される。このレンズアレイ１６２は、光記録用液晶部３４に表示された画像を印画紙３６の走行面上に投影する。
【００３４】
印画紙３６は、フイルムパック３２からローラ１６４によって送りだされた後、搬送ローラ１６６Ａ、１６６Ｂによって挟持され、これらの搬送ローラ１６６Ａ、１６６Ｂによって一定速度で搬送される。上記実施の形態と同様に印画紙３６が走行している間、順次光記録用液晶部３４の表示画像が切り換えられることにより、所望の画像が印画紙３６にプリントされ、その印画紙３６がペーパー出力口１６０から送出される。
【００３５】
尚、このようにプリント装置をＬＣＤパネル１４の前面側に装着する場合には、開口１５８の位置で印画紙３６を走行させて、光記録用液晶部３４に表示された画像を直接印画紙３６に露光することで、レンズアレイ１６２を不要にすることもできる。この場合のプリント装置の内部構成を図１７、図１８に示す。尚、図１６に示した部材と同一部材には同一番号を付し、その説明は省略する。図１７に示すように、プリント装置の前面の開口１５８には、シャッター１７０が設置され、プリントが実行されないときにはこのシャッター１７０で開口１５８が遮蔽される。プリントが実行されるときには、図１８に示すようにこのシャッター１７０が開口１５８の位置から退避し、開口１５８が開かれる。一方、印画紙３６は、フイルムパック３２からローラ１６４によって送り出された後、バネ１７２で付勢された搬送ローラ１７２によって開口１５８の位置、即ち、光記録用液晶部３４に押し当てられながら一定速度で搬送される。これにより、光記録用液晶部３４に表示されている画像が直接印画紙３６に感光され、印画紙３６の走行と同期して光記録用液晶部３４の表示画像が切り換えられることで、印画紙３６に所望の画像がプリントされる。尚、印画紙３６のあるラインが露光された後、次のラインが露光されるまで間の印画紙３６の走行時には、シャッター１７０で開口１５８を閉じるようにしてもよい。
【００３６】
以上、上記実施の形態では、パソコンのＬＣＤパネルに本発明に係るプリント装置を装着する場合について説明したが、パソコンのＬＣＤパネルに限らず、液晶テレビ、カーナビゲーション、デジタルビデオカメラ、デジタルスチルカメラ等の所望の機器のＬＣＤパネルに装着することも可能である。また、ＬＣＤに限らず他の種類のディスプレイ（プラズマディスプレイ等）に装着することも可能である。
【００３７】
また、本発明に係るプリント装置を装着するＬＣＤパネルはカラーでもモノクロでもよいが、モノクロのＬＣＤパネルに本発明に係るＬＣＤパネルを装着してカラーの画像をプリントする場合には、例えば、光記録用液晶部のみカラーフィルターを装着してもよいし、又は、カラーの画像をプリントするのに必要な色毎（Ｒ，Ｇ，Ｂ毎）の帯状のカラーフィルターを切り替えて光記録用液晶部に配置させ、この切り替え動作に同期させて所要の画像データを光記録用液晶部に表示させてプリントするようにしてもよい。
【００３８】
【発明の効果】
以上説明したように本発明に係るプリント装置によれば、所望機器のディスプレイをプリント装置に兼用することで、高価なディスプレイを有効利用することができる。また、プリント専用の露光用光源を必要とせず、プリント装置が小型化されると共に、構成が簡単なプリント装置によって所望機器の表示画像を容易にプリントすることができるようになる。また、感光材料を露光する大型の合焦手段を必要としないため、プリント装置が小型化されると共に、プリントした画像にディスプレイの配光分布によるむらが生じるといった不具合が解消される。
【図面の簡単な説明】
【図１】図１は、本発明に係るプリント装置が装着されたパーソナルコンピュータの外観斜視図である。
【図２】図２は、プリント装置の要部上面断面図である。
【図３】図３は、プリント装置の内部構成を示した透視図である。
【図４】図４（Ａ）乃至（Ｄ）は、上記プリント装置をＬＣＤパネルに着脱自在とした場合の一実施の形態を示した構成図である。
【図５】図５は、パソコン及びプリント装置の回路構成を示した図である。
【図６】図６は、電動で印画紙を搬送する場合におけるプリント実行時の処理手順を示したフローチャートである。
【図７】図７は、手動で印画紙を搬送する場合におけるプリント実行時の処理手順を示したフローチャートである。
【図８】図８は、パソコン及びプリント装置の回路構成の他の実施の形態を示した図である。
【図９】図９は、ＬＣＤパネルの表示面側に装着されたプリント装置の外観を示した斜視図である。
【図１０】図１０は、ＬＣＤパネルの表示面側に装着されたプリント装置の外観を示した正面図である。
【図１１】図１１は、ＬＣＤパネルの表示面側に装着されたプリント装置の外観を示した側面図である。
【図１２】図１２は、図１０に於ける１２−１２断面図である。
【図１３】図１３は、図１１に於ける１３−１３断面図である。
【図１４】図１４は、プリント装置の位置決め機構を示した要部拡大図である。
【図１５】図１５は、ＬＣＤパネルの表示面側に装着されるプリント装置の外観を示した斜視図である。
【図１６】図１６は、ＬＣＤパネルの表示面側に装着されるプリント装置の内部構成を示した構成図である。
【図１７】図１７は、ＬＣＤパネルの表示面側に装着されるプリント装置の内部構成の他の形態を示した構成図である。
【図１８】図１８は、ＬＣＤパネルの表示面側に装着されるプリント装置の内部構成の他の形態を示した構成図である。
【図１９】図１９は、図１１に於ける１３−１３断面図であり、他の形態を示した断面図である。
【符号の説明】
１０…パーソナルコンピュータ（パソコン）
１２…キーボード
１３…パソコン本体
１４…液晶ディスプレイ（ＬＣＤ）パネル
１８…プリント装置
２５…バックライト用光源
２８…レンズアレイ
３０Ａ、３０Ｂ…搬送ローラ
３２…フイルムパック
３６…印画紙
７０…ＣＰＵ
７６…ＶＲＡＭ
９４…ぺーパー搬送機構
【図１】
0003837733.tif 000002
【図２】
0003837733.tif 000003
【図３】
0003837733.tif 000004
【図４】
0003837733.tif 000005
【図５】
0003837733.tif 000006
【図６】
0003837733.tif 000007
【図７】
0003837733.tif 000008
【図８】
0003837733.tif 000009
【図９】
0003837733.tif 000010
【図１０】
0003837733.tif 000011
【図１１】
0003837733.tif 000012
【図１２】
0003837733.tif 000013
【図１３】
0003837733.tif 000014
【図１４】
0003837733.tif 000015
【図１５】
0003837733.tif 000016
【図１６】
0003837733.tif 000017
【図１７】
0003837733.tif 000018
【図１８】
0003837733.tif 000019
【図１９】
0003837733.tif 000020